(57)【要約】【課題】容易に情報端末の設定あるいは、情報端末と設定端末との初期設定を行うことを目的とする。【解決手段】不可聴音域の特定周波数を含む音声２を放送することにより、情報端末１で音声２を周波数解析して設定信号を入手することにより、容易に情報端末１の設定あるいは、情報端末１と設定端末との初期設定を行うことができる。【選択図】図１
2015029742.tif 000002
【特許請求の範囲】
【請求項１】
病院の各ベッドの周囲に配置されて各患者に対応する表示情報を表示する情報端末であって、
不可聴音域に設定信号が重畳される音声を受信する受信機と、
受信した前記音声の前記不可聴音域を周波数解析して前記設定信号を抽出する信号変換器と、
前記設定信号により動作の設定を行う制御部と
を有することを特徴とする情報端末。
【請求項２】
設定される前記動作が、前記表示情報の選択であることを特徴とする請求項１記載の情報端末。
【請求項３】
前記表示情報が、緊急表示であることを特徴とする請求項２記載の情報端末。
【請求項４】
前記表示情報の設定を外部の設定端末から行い、
設定される前記動作が、前記設定端末との通信の初期設定であることを特徴とする請求項１〜請求項３のいずれか１項に記載の情報端末。
【請求項５】
前記設定端末が送信機を備える携帯端末であり、前記音声が前記送信機から放送されることを特徴とする請求項４記載の情報端末。
【請求項６】
病院の各ベッドの周囲に配置されて各患者に対応する表示情報を表示する情報端末の設定方法であって、
不可聴音域の一定周期毎の周波数帯音の有無により表した設定信号を重畳した音声を放送する工程と、
情報端末が前記音声を受信する工程と、
受信した前記音声の不可聴音域を周波数解析して設定信号を抽出する工程と、
前記設定信号により動作の設定を行う工程と
を有することを特徴とする情報端末の設定方法。
【請求項７】
設定される前記動作が、前記表示情報の選択であることを特徴とする請求項６記載の情報端末の設定方法。
【請求項８】
前記表示情報が、緊急表示であることを特徴とする請求項７記載の情報端末の設定方法。
【請求項９】
前記表示情報の設定を外部の設定端末から行い、
設定される前記動作が、前記設定端末との通信の初期設定であることを特徴とする請求項６〜請求項８のいずれか１項に記載の情報端末の設定方法。
【請求項１０】
前記設定端末が送信機を備える携帯端末であり、前記音声が前記送信機から放送されることを特徴とする請求項９記載の情報端末の設定方法。
【発明の詳細な説明】
【技術分野】
【０００１】
不可聴音により設定可能な情報端末および情報端末の設定方法に関する。
【背景技術】
【０００２】
病院に入院している患者毎に必要な情報を表示するモニタとして、その患者のベッドの周囲に設置されるベッドサイド情報端末がある。ベッドサイド情報端末には、患者の禁則事項等を表示するピクトグラム等の患者に固有の情報が表示されるものがある。また、病院内での火災時等に避難を促す緊急表示が表示されるものもある。また、ベッドサイド情報端末が院内ＬＡＮに接続されており、インターネットに接続したり、各種の院内サービスをベッドサイド情報端末を経由して享受したりすることができるものもある（例えば、特許文献１参照）。
【０００３】
病院内の情報端末システム用ネットワークには、複数のベッドサイド情報端末が接続されている。ベッドサイド情報端末に表示させる情報の設定は、一般的にベッドサイド情報端末が接続される情報端末システム用ネットワークを介して行われていた。あるいは、持ち運び可能な設定端末を用い、設定端末と情報端末とを通信させて、設定端末により情報端末の設定を行っていた。例えば、通信手段としてＱＲコードの読み込みやＮＦＣ通信等の近接通信，無線通信が行われていた。
【先行技術文献】
【特許文献】
【０００４】
【特許文献１】特開２０１２−１１８７８２号公報
【発明の概要】
【発明が解決しようとする課題】
【０００５】
しかしながら、従来のネットワークを介した情報端末の設定では、ネットワークの障害等によりネットワーク接続できない状態では、情報端末の設定ができないという問題点があった。また、近接通信，無線通信で設定端末から情報端末の設定を行う際には、対象となる情報端末毎にマニュアルで通信の初期設定を行う必要があるという問題点があった。さらに、入院ベッド数の多い病院などで、設定すべき情報端末数が多い場合、各情報端末の近傍まで設定端末を持ち運んで作業することが困難で、効率的でない場合があった。
【０００６】
上記問題点を解決するために、本発明の情報端末および情報端末の設定方法は、容易に情報端末の設定あるいは、情報端末と設定端末との初期設定を行うことを目的とする。
【課題を解決するための手段】
【０００７】
上記目的を達成するために、本発明の情報端末は、病院の各ベッドの周囲に配置されて各患者に対応する表示情報を表示する情報端末であって、不可聴音域に設定信号が重畳される音声を受信する受信機と、受信した前記音声の前記不可聴音域を周波数解析して前記設定信号を抽出する信号変換器と、前記設定信号により動作の設定を行う制御部とを有することを特徴とする。
【０００８】
さらに、本発明の情報端末の設定方法は、病院の各ベッドの周囲に配置されて各患者に対応する表示情報を表示する情報端末の設定方法であって、不可聴音域の一定周期毎の周波数帯音の有無により表した設定信号を重畳した音声を放送する工程と、情報端末が前記音声を受信する工程と、受信した前記音声の不可聴音域を周波数解析して設定信号を抽出する工程と、前記設定信号により動作の設定を行う工程とを有することを特徴とする。
【０００９】
また、設定される前記動作が、前記表示情報の選択であっても良い。
また、前記表示情報が、緊急表示であっても良い。
また、前記表示情報の設定を外部の設定端末から行い、設定される前記動作が、前記設定端末との通信の初期設定であっても良い。
【００１０】
また、前記設定端末が送信機を備える携帯端末であり、前記音声が前記送信機から放送されても良い。
【発明の効果】
【００１１】
以上のように、不可聴音域の特定周波数を含む音声を放送することにより、情報端末で音声を周波数解析して設定信号を入手することにより、容易に情報端末の設定あるいは、情報端末と設定端末との初期設定を行うことができる。
【図面の簡単な説明】
【００１２】
【図１】本発明の情報端末の設定方法の概略を説明する図
【図２】本発明の情報端末の表示情報を例示する図
【図３】本発明の情報端末の構成を示すブロック図
【図４】本発明の不可聴音域に設定し信号を重畳した音声を例示する図
【図５】本発明の情報端末の設定方法を説明するフロー図
【図６】本発明の設定信号と設定される動作との対応表を例示する図
【図７】実施の形態２における情報端末の表示情報を例示する図
【図８】実施の形態３における情報端末の設定方法の概略を説明する図
【発明を実施するための形態】
【００１３】
以下、図面を用いて、本発明の情報端末および情報端末の設定方法について説明する。
（実施の形態１）
まず、図１〜図６を用いて、実施の形態１における情報端末および情報端末の設定方法の実施の形態について説明する。
【００１４】
図１は本発明の情報端末の設定方法の概略を説明する図、図２は本発明の情報端末の表示情報を例示する図、図３は本発明の情報端末の構成を示すブロック図、図４は本発明の不可聴音域に設定し信号を重畳した音声を例示する図、図５は本発明の情報端末の設定方法を説明するフロー図、図６は本発明の設定信号と設定される動作との対応表を例示する図である。
【００１５】
図１に示すように、病院において、入院患者のベッドの周辺に、患者毎に利用できるベッドサイド情報端末（以下、単に情報端末１と称す）が設けられることがある。図２に示すように、情報端末１には院内サービス画面１３が表示情報７として表示され、情報端末１は院内サービスの操作端末としての機能を備える（図２（ａ））。また、情報端末１には、患者毎の病状に応じた禁則事項等の情報を表示情報７として表示する場合もある（図２（ｂ））。院内サービスは、例えば、インターネット接続や病院案内，食事の選択，院内ネットショッピング等の各種サービスを行うことができるサービスである。また、表示情報は、患者の食事制限や歩行の補助の条件等の禁則事項等様々なものを表示することができ、文字情報でも良いが、情報を図案化したピクトグラム表示であっても良い。例えば、ピクトグラム表示としては、夕食を抜く旨の表示８や、移動には車椅子を使用する旨の表示９等がある。これらの院内サービスや表示情報７等の各種設定は、外部から情報端末１と通信、あるいはマニュアル設定することにより行う。また、外部から情報端末１と通信する場合には、その初期設定も各種設定に含まれる。
【００１６】
本発明は、院内サービスや表示情報７等の情報端末１の各種設定を、不可聴音域に設定信号が重畳された音声２を放送し、情報端末１がその音声２を受信することにより行うことを特徴とする。このように放送された音声２の不可聴音域を用いて設定信号を送信することにより、容易に情報端末１の設定あるいは、情報端末１と設定端末との初期設定を行うことができる。
【００１７】
以下、設定方法および情報端末の構成について説明する。
まず、本発明の情報端末１の構成は、図３に示すように、ピクトグラム表示や院内サービス画面１３等の表示情報７が表示されるモニタ等の表示部３と、設定信号が重畳された音声２を受信する受信機６と、受信した音声２を周波数解析して設定信号を抽出する信号変換器５と、設定信号に基づいて表示情報７の選択や通信設定等の動作設定を行う制御部４とからなる。
【００１８】
次に、本発明の音声２は、図４に示すように、不可聴音域として例えば周波数が２０Ｋｈｚ以上の音域において、所定の間隔の周波数毎の音声を出力することにより、各周波数の音声の有無から２進数で表された設定信号１０を重畳している。図４の例では、２１ＫＨｚ，２２ＫＨｚ，２３ＫＨｚ，２４ＫＨｚ，２５ＫＨｚの５ビットの信号が想定されている。そして、これらの周波数の近傍に一定以上の音量の音声が出力されているかで、”１”または”０”の情報を出力し、５ビットの情報を備える設定信号１０とする。設定信号１０には、設定対象となる情報端末を特定するための信号や、設定内容を特定する信号等が含まれる。なお、設定信号１０のビット数は任意であり、ビット数が大きくなるほど多くの設定が可能となる。また、図４の例では、１０ＫＨｚ間隔で信号を生成しているが、間隔も任意であり、解析能力や必要ビット数等により決定することができる。
【００１９】
次に、図１〜図６を用いて設定方法について説明する。
まず、病院内のスピーカ１１等の送信機から不可聴音域に設定信号１０を重畳した音声２を放送する（図５のステップ１）。
【００２０】
次に、音声２が届く範囲にある情報端末１が、マイク等の受信機６を介して音声２を受信する（図５のステップ２）。
次に、情報端末１において、受信した音声２を信号変換器５に転送し、音声２から設定信号１０を抽出する（図５のステップ４）。設定信号１０の抽出は音声２を周波数解析して量子化することにより行う（図５のステップ３）。すなわち、音声２をフーリエ変換することにより音声２に含まれる周波数帯を抽出し、あらかじめ定めた周波数帯に信号が含まれるか否かで”１”または”０”の情報を出力する。図４の例では、フーリエ変換の結果、不可聴音域において２１ＫＨｚ，２３ＫＨｚ，２４ＫＨｚの周波数帯の信号が出力されるので、”１０１１０”の設定信号１０が抽出される。あるいは、音声２の不可聴音域に含まれる所定の音量以上の周波数帯を抽出し、あらかじめ定めた周波数帯に信号が含まれるか否かで”１”または”０”の情報を出力する。図４の例では、不可聴音域において２１ＫＨｚ，２３ＫＨｚ，２４ＫＨｚの周波数帯でピークが出力されるので、”１０１１０”の設定信号１０が抽出される。
【００２１】
最後に、設定信号１０を制御部４に転送し、設定信号１０で特定される情報端末１に対して設定信号１０で指定される動作設定を行う（図５のステップ５）。このとき、動作設定の決定は、例えば、制御部４に記録された対応表１２と設定信号１０の特定ビットの値を比較することにより行うことができる。図６に示すように、対応表１２は、設定信号１０の値と設定される動作との対応関係を示す。そして、入力された設定信号１０に応じて、制御部４は対応表１２から設定される動作を決定し、動作設定を行う。設定信号１０は設定する情報端末１を特定するビットと設定される動作を示すビットから構成され、図６の例では、上位２ビットで情報端末１を特定し、下位３ビットで設定される動作を示す。これらのビット数および構成は、設定される情報端末１の数や設定される動作の数等により適宜決定する。図６に例示された対応表１２を用い、設定信号１０として”１０１１０”が入力された場合、制御部４は、対応表１２において設定信号１０の”１０１１０”に対応する「”１０”番の情報端末の初期設定」を読み出し、”１０”番の情報端末１の通信の初期設定を実行する。ここで、設定される動作は、通信の初期設定やピクトグラムの選択等の表示情報７の設定、その他の情報端末１の設定を行うことができる。
【００２２】
このように、設定信号１０を重畳した音声２を情報端末１が受信し、音声２を周波数解析して設定信号１０を抽出することにより、設定信号１０を放送等の音声２として受信し、設定信号１０を用いて情報端末１の各種設定を行うことができるため、ネットワーク接続できない状態でも情報端末１の設定を行うことができ、容易かつ効率的に情報端末１の設定あるいは、情報端末１と設定端末との初期設定を行うことができる。このとき、設定信号１０を不可聴音域に重畳することにより、全館に音声２を放送したとしても、病院スタッフや患者等には何も聞こえず、これらの者に影響を与えず、全館放送等を用いて情報端末１の動作設定を行うことができる。
（実施の形態２）
次に、図２，図７を用い、実施の形態２の情報端末および情報端末の設定方法として、表示情報の例を説明する。
【００２３】
図７は実施の形態２における情報端末の表示情報を例示する図である。
実施の形態１では情報端末には、表示情報７として禁則事項等の情報や院内サービス画面１３が表示されたが、実施の形態２の情報端末および情報端末の設定方法では、表示情報７として緊急表示が表示される設定を行うことを特徴とする。
【００２４】
病院内では、火災や事故その他の場合に、患者の避難を促す緊急放送が行われ、患者は緊急放送の指示に従って、避難や避難の準備等を行う。しかし、患者の中には耳の不自由な者も含まれるため、緊急放送だけでは不十分な場合があり、緊急放送と共に情報端末１の表示部３に避難する旨を表示した緊急表示１４を表示させて、患者に避難を促す場合があった。このような、情報端末１に緊急表示１４を表示させる設定は、病院内のネットワーク回線を通じて病院スタッフにより行われていたが、火災等によりネットワーク回線に支障が生じている場合には、緊急表示１４の設定を行えない場合があった。
【００２５】
本実施の形態の情報端末および情報端末の設定方法では、実施の形態１の表示情報７の設定と同様に、不可聴音域に緊急表示１４を表示させる設定信号を重畳した音声を放送して情報端末１に受信させることにより、情報端末１に緊急表示１４を表示させる設定を行う。すなわち、設定信号が、全ての情報端末１を選択する信号と緊急表示１４を表示する動作をさせる信号とからなり、この設定信号が重畳された音声を全館放送で放送する。そして、放送を受信した全ての情報端末１は、実施の形態１と同様に音声から周波数解析により設定信号を抽出し、設定信号に従って緊急表示１４を表示させる。
【００２６】
ここで、音声には、不可聴音域に設定信号のみをのせても良いが、緊急放送を含んだ音声の不可聴音域に設定信号を重畳させたものでも良い。緊急放送に設定信号を重畳することにより、音声による緊急放送と緊急表示１４が同時になされ、患者への避難の通知をより確実なものとできる。
【００２７】
このように、情報端末１に表示させる表示情報７を緊急表示１４とし、この緊急表示１４の表示の設定を、不可聴音域に設定信号を重畳させた音声を放送して行うことにより、容易かつ効率的に情報端末１の設定あるいは、情報端末１と設定端末との初期設定を行いながら、ネットワーク回線に支障が生じている場合であっても、緊急表示１４の設定を行うことができる。
（実施の形態３）
次に、図８を用いて実施の形態３における情報端末および情報端末の設定方法を説明する。
【００２８】
図８は実施の形態３における情報端末の設定方法の概略を説明する図である。
本実施の形態における情報端末および情報端末の設定方法は、実施の形態１，２で院内のスピーカ等から放送されていた音声２を、タブレット端末やスマートフォン等の携帯機器１５から送信することを特徴とする。タブレット端末やスマートフォンは、一般的にマイクやスピーカが搭載されている機器が多く、それを用いて音声２を送信することができるので、追加となる機器を設けることなく、簡易かつ低コストで実施の形態３における情報端末の設定方法を実現することができる。
【００２９】
つまり、設定する情報端末１に音声２が届く領域まで持ち運び可能な携帯端末１５を持ち込んだ後、実施の形態１，２と同様に不可聴音域に設定信号が重畳された音声２を携帯端末１５からから発信する。情報端末１が音声２を受信した後は、実施の形態１，２と同様に、情報端末１で設定信号を抽出し、各種の設定動作を行う。
【００３０】
このように、不可聴音域に設定信号が重畳された音声２を携帯端末１５から発信することにより、容易かつ効率的に情報端末１の設定あるいは、情報端末１と設定端末との初期設定を行うことができる。さらに、実施の形態１と実施の形態２と比較して、設定する情報端末１の近くで設定作業を行うことができるので、設定状態を確認しながら、確実に設定作業を行うことができる。また、例えば、全館放送と比べて音声２の届く範囲が限定されるので、病室ごとに設定作業を行うことができ、設定する情報端末１を特定するためのビット数を少なくしながら、多くの情報端末１に対して各種設定を行うことができる。
【００３１】
なお、情報端末１の周辺には、音声２に重畳された不可聴音データ以外にも、様々な環境音，電磁波等の不可聴音が発生している。そして、この不可聴音を受信した情報端末１が設定信号と誤認して誤動作を起こす場合も考えられる。そのため、実施の形態１〜３において、情報端末１が、音声２に重畳されていないデータ、つまり送信機の意図しないデータを受信して設定信号と誤認することを防止するため、音声２のデータフォーマットを明確に定めてもよい。
【００３２】
例えば、非同期通信で多く用いられるデータ送信開始を意味するスタートビット、データ受信の誤りを検出するためのパリティビット、あるいはデータ送信完了を意味するストップビット等を組み合わせてデータに付加することができる。
【００３３】
また、音声２を送信する機器が、実施の形態３で挙げたように、タブレット端末やスマートフォンのようなマイク（受信機）を搭載している機器の場合、情報端末１が、データを正しく受信したことを意味するアクノリッジ信号を、タブレット端末やスマートフォンに送付することで、より信頼性の高い通信を実現することもできる。
【００３４】
実施の形態１では、図４のように、５ビットの信号を１つのデータとして１回通信する例を挙げたが、これらの通信方法を用いることで、情報端末１と送信機の間で、連続してデータをパラレル通信することも容易に実現できる。また、５つの周波数域を使用する必要はなく、一つの周波数域のみを使用して、１ビットの信号でシリアル通信しても良い。
【符号の説明】
【００３５】
１    情報端末
２    音声
３    表示部
４    制御部
５    信号変換器
６    受信機
７    表示情報
８    表示
９    表示
１０    設定信号
１１    スピーカ
１２    対応表
１３    院内サービス画面
１４    緊急表示
【図１】
2015029742.tif 000003
【図２】
2015029742.tif 000004
【図３】
2015029742.tif 000005
【図４】
2015029742.tif 000006
【図５】
2015029742.tif 000007
【図６】
2015029742.tif 000008
【図７】
2015029742.tif 000009
【図８】
2015029742.tif 000010